(57)【特許請求の範囲】
【請求項１】
第１の薬液と第２の薬液と水とを混合して殺菌消臭水を生成するための殺菌消臭水生成装置であって、
三方電磁弁を介して給水管に接続される水圧シリンダと、
該水圧シリンダ内を進退可能なピストンと、
前記第１の薬液を貯留する第１の薬液容器と、
該第１の薬液容器に第１の送液管を介して接続される第１の薬液シリンダと、
前記ピストンの進退動作に伴って前記第１の薬液シリンダ内を進退可能に設けられる第１の薬液シリンダロッドと、
前記三方電磁弁に接続されると共に前記第１の薬液シリンダに接続される第１のアスピレータと、
前記第２の薬液を貯留する第２の薬液容器と、
該第２の薬液容器に第２の送液管を介して接続される第２の薬液シリンダと、
前記ピストンの進退動作に伴って前記第２の薬液シリンダ内を進退可能に設けられる第２の薬液シリンダロッドと、
前記第１のアスピレータに接続されると共に前記第２の薬液シリンダに接続される第２のアスピレータと、
を備え、
前記給水管から前記三方電磁弁を介して前記水圧シリンダ内に供給された水が前記ピストンにより前記水圧シリンダ内から押し出され、前記三方電磁弁を介して前記第１のアスピレータ内に供給されると、前記第１の薬液容器から前記第１の送液管を介して前記第１の薬液シリンダと前記第１の薬液シリンダロッドとの間に供給された第１の薬液が前記第１のアスピレータ内に送出されて前記水と混合され、その後、該混合水溶液が前記第２のアスピレータ内に供給されると、前記第２の薬液容器から前記第２の送液管を介して前記第２の薬液シリンダと前記第２の薬液シリンダロッドとの間に供給された第２の薬液が前記第２のアスピレータ内に送出されて前記混合水溶液とさらに混合されることによって、前記殺菌消臭水を生成することを特徴とする殺菌消臭水生成装置。
【請求項２】
第１の薬液と第２の薬液と水とを混合して殺菌消臭水を生成するための殺菌消臭水生成装置であって、
三方電磁弁を介して給水管に接続される水圧シリンダと、
該水圧シリンダ内を進退可能なピストンと、
前記第１の薬液を貯留する第１の薬液容器と、
該第１の薬液容器に第１の送液管を介して接続されると共に前記水圧シリンダに接続される第１の薬液シリンダと、
前記ピストンの進退動作に伴って前記第１の薬液シリンダ内を進退可能に設けられる第１の薬液シリンダロッドと、
前記第２の薬液を貯留する第２の薬液容器と、
該第２の薬液容器に第２の送液管を介して接続される第２の薬液シリンダと、
前記ピストンの進退動作に伴って前記第２の薬液シリンダ内を進退可能に設けられる第２の薬液シリンダロッドと、
前記三方電磁弁に接続されると共に前記第２の薬液シリンダに接続されるアスピレータと、
を備え、
前記給水管から前記三方電磁弁を介して前記水圧シリンダ内に供給された水が前記第１の薬液容器から第２の送液管及び前記第１の薬液シリンダを介して供給された前記第１の薬液と前記水圧シリンダ内において混合され、その後、該混合水溶液が前記ピストンにより前記水圧シリンダ内から押し出され、前記三方電磁弁を介して前記のアスピレータ内に供給されると、前記第２の薬液容器から前記第２の送液管を介して前記第２の薬液シリンダと前記第２の薬液シリンダロッドとの間に供給された第２の薬液が前記アスピレータ内に送出されて前記混合水溶液とさらに混合されることによって、前記殺菌消臭水を生成することを特徴とする殺菌消臭水生成装置。
【請求項３】
前記第１の薬液は次亜塩素酸ナトリウムを含み、前記第２の薬液は塩酸を含んでいることを特徴とする請求項１又は２に記載の殺菌消臭水生成装置。
【請求項４】
前記第１の薬液容器と前記第２の薬液容器とを一体に収容するケースを備え、該ケースは、第１の送液口と前記第２の薬液の送液口が底面に設けられたトイレと、該トイレに嵌合可能なケース本体と、を備えていることを特徴とする請求項１〜３のいずれか１の請求項に記載の殺菌消臭水生成装置。
【請求項５】
請求項１〜４のいずれか１の請求項に記載の殺菌消臭水生成装置により生成された殺菌消臭水を洗浄水として小便器に供給するための小便器用洗浄水供給装置であって、
前記小便器の上部にスプレー洗浄ノズルが設けられ、該スプレー洗浄ノズルは、前方に膨らみを有するように立体放射状に前記殺菌消臭水を噴射可能なように構成されていることを特徴とする小便器用洗浄水供給装置。
【発明の詳細な説明】
【技術分野】
【０００１】
本発明は、２種類の薬液と水とを混合して殺菌消臭水を生成するための殺菌消臭水生成装置、及び該殺菌消臭水生成装置により生成された殺菌消臭水を洗浄水として小便器に供給するための小便器用洗浄水供給装置に関するものである。
【背景技術】
【０００２】
従来、小便器の使用後に流される洗浄水の量を削減するため、１回当たりの使用量が１．２〜２リットル程度の節水型の小便器が開発されている。
【０００３】
しかしながら、洗浄水の使用量を少なくすると、例えば、小便器排水口にあるトラップ（排水管からの臭気の逆流を防ぐ水溜り）に溜まる尿と水の置換率低下によって菌が発生する要因となったり、或いは、確実に流しきれない汚れや尿石発生により排水管の詰まりや臭気発生の要因となったりする問題があるため、節水には限界があった。
【０００４】
そこで、小便器の洗浄に薬液を用いることも行われており、例えば、薬液容器及び供給容器からなる薬液供給部からの薬液の量と給水管からの水量とを開閉弁を制御することにより調整する水洗式小便器の薬剤溶液注入装置などが提案されている（特許文献１参照）。
【０００５】
また、上記した小便器洗浄の用途以外の、食品加工、農業畜産、医療、環境などの各分野において、次亜塩素酸水を使用して殺菌消臭水を生成し、この殺菌消臭水を利用して各種機器などを洗浄することも行われている（例えば、非特許文献１参照）。
【先行技術文献】
【特許文献】
【０００６】
【特許文献１】特開２００３−１５５７６８号公報
【非特許文献】
【０００７】
【非特許文献１】株式会社ハセッパー技研（http://www.haccpper.co.jp/index.html）
【発明の概要】
【発明が解決しようとする課題】
【０００８】
しかしながら、上記した特許文献１に記載の技術では、水洗式小便器において薬剤溶液注入装置の薬液供給部は、薬液容器及び供給容器の他にポンプを必要とする一方、開閉弁を開閉制御する独立した制御装置を必要とするため、装置全体が複雑になると共にコストが増大するといった問題があった。
【０００９】
また、上記した非特許文献１に記載の技術では、殺菌消臭水を生成する装置が複雑化すると共に大型化するといった問題があった。
【００１０】
本発明は、上記した課題を解決すべくなされたものであり、簡素化及び小型化を図ることのできる殺菌消臭水生成装置及び小便器用洗浄水供給装置を提供することを目的とするものである。
【課題を解決するための手段】
【００１１】
上記した目的を達成するため、本発明は、第１の薬液と第２の薬液と水とを混合して殺菌消臭水を生成するための殺菌消臭水生成装置であって、三方電磁弁を介して給水管に接続される水圧シリンダと、該水圧シリンダ内を進退可能なピストンと、前記第１の薬液を貯留する第１の薬液容器と、該第１の薬液容器に第１の送液管を介して接続される第１の薬液シリンダと、前記ピストンの進退動作に伴って前記第１の薬液シリンダ内を進退可能に設けられる第１の薬液シリンダロッドと、前記三方電磁弁に接続されると共に前記第１の薬液シリンダに接続される第１のアスピレータと、前記第２の薬液を貯留する第２の薬液容器と、該第２の薬液容器に第２の送液管を介して接続される第２の薬液シリンダと、前記ピストンの進退動作に伴って前記第２の薬液シリンダ内を進退可能に設けられる第２の薬液シリンダロッドと、前記第１のアスピレータに接続されると共に前記第２の薬液シリンダに接続される第２のアスピレータと、を備え、前記給水管から前記三方電磁弁を介して前記水圧シリンダ内に供給された水が前記ピストンにより前記水圧シリンダ内から押し出され、前記三方電磁弁を介して前記第１のアスピレータ内に供給されると、前記第１の薬液容器から前記第１の送液管を介して前記第１の薬液シリンダと前記第１の薬液シリンダロッドとの間に供給された第１の薬液が前記第１のアスピレータ内に送出されて前記水と混合され、その後、該混合水溶液が前記第２のアスピレータ内に供給されると、前記第２の薬液容器から前記第２の送液管を介して前記第２の薬液シリンダと前記第２の薬液シリンダロッドとの間に供給された第２の薬液が前記第２のアスピレータ内に送出されて前記混合水溶液とさらに混合されることによって、前記殺菌消臭水を生成することを特徴とする。
【００１２】
また、本発明は、第１の薬液と第２の薬液と水とを混合して殺菌消臭水を生成するための殺菌消臭水生成装置であって、三方電磁弁を介して給水管に接続される水圧シリンダと、該水圧シリンダ内を進退可能なピストンと、前記第１の薬液を貯留する第１の薬液容器と、該第１の薬液容器に第１の送液管を介して接続されると共に前記水圧シリンダに接続される第１の薬液シリンダと、前記ピストンの進退動作に伴って前記第１の薬液シリンダ内を進退可能に設けられる第１の薬液シリンダロッドと、前記第２の薬液を貯留する第２の薬液容器と、該第２の薬液容器に第２の送液管を介して接続される第２の薬液シリンダと、前記ピストンの進退動作に伴って前記第２の薬液シリンダ内を進退可能に設けられる第２の薬液シリンダロッドと、前記三方電磁弁に接続されると共に前記第２の薬液シリンダに接続されるアスピレータと、を備え、前記給水管から前記三方電磁弁を介して前記水圧シリンダ内に供給された水が前記第１の薬液容器から第２の送液管及び前記第１の薬液シリンダを介して供給された前記第１の薬液と前記水圧シリンダ内において混合され、その後、該混合水溶液が前記ピストンにより前記水圧シリンダ内から押し出され、前記三方電磁弁を介して前記のアスピレータ内に供給されると、前記第２の薬液容器から前記第２の送液管を介して前記第２の薬液シリンダと前記第２の薬液シリンダロッドとの間に供給された第２の薬液が前記アスピレータ内に送出されて前記混合水溶液とさらに混合されることによって、前記殺菌消臭水を生成することを特徴とする。
【００１３】
また、本発明に係る殺菌消臭水生成装置において、前記第１の薬液は次亜塩素酸ナトリウムを含み、前記第２の薬液は塩酸を含んでいることを特徴とする。
【００１４】
また、本発明に係る殺菌消臭水生成装置において、前記第１の薬液容器と前記第２の薬液容器とを一体に収容するケースを備え、該ケースは、前記第１の薬液の取り出し口と前記第２の薬液の取り出し口が底面に設けられたトレイと、該トレイに嵌合可能なケース本体と、を備えていることを特徴とする。
【００１５】
また、本発明は、上記したいずれかの殺菌消臭水生成装置により生成された殺菌消臭水を洗浄水として小便器に供給するための小便器用洗浄水供給装置であって、前記小便器の上部にスプレー洗浄ノズルが設けられ、該スプレー洗浄ノズルは、前方に膨らみを有するように立体放射状に前記殺菌消臭水を噴射可能なように構成されていることを特徴とする。
【発明の効果】
【００１６】
本発明によれば、装置全体を簡素化及び小型化することができ、イニシャルコスト及びランニングコストを削減することができる等、種々の優れた効果を得ることができる。
【図面の簡単な説明】
【００１７】
【図１】本発明の第１の実施の形態に係る殺菌消臭水生成装置を示す斜視図である。
【図２】本発明の第１の実施の形態に係る殺菌消臭水生成装置において水圧シリンダ内に水を供給した状態を示す断面図である。
【図３】本発明の第１の実施の形態に係る殺菌消臭水生成装置において殺菌消臭水の生成を完了した状態（又は待機状態）を示す断面図である。
【図４】本発明の第１の実施の形態に係る殺菌消臭水生成装置において第１及び第２のアスピレータの動作を示す断面図である。
【図５】本発明の第１の実施の形態に係る殺菌消臭水生成装置のケースを示す斜視図である。
【図６】本発明の第１の実施の形態に係る殺菌消臭水生成装置のケース本体内に第１及び第２の薬液容器を一体に収容した状態を透視して示す斜視図である。
【図７】本発明の第１の実施の形態に係る殺菌消臭水生成装置のトレイを示す斜視図である。
【図８】本発明の第２の実施の形態に係る殺菌消臭水生成装置において水圧シリンダ内に水を供給した状態を示す断面図である。
【図９】本発明の第２の実施の形態に係る殺菌消臭水生成装置において殺菌消臭水の生成を完了した状態（又は待機状態）を示す断面図である。
【図１０】本発明の第３の実施の形態に係る殺菌消臭水生成装置において水圧シリンダ内に水を供給した状態を示す断面図である。
【図１１】本発明の実施の形態に係る小便器用洗浄水供給装置を示す正面図である。
【図１２】本発明の実施の形態に係る小便器用洗浄水供給装置を示す側面図である。
【発明を実施するための形態】
【００１８】
以下、図面を参照しつつ、本発明の実施の形態について説明する。
【００１９】
先ず、図１〜図７を参照しつつ、本発明の第１の実施の形態に係る殺菌消臭水生成装置について詳細に説明する。ここで、図１は本発明の第１の実施の形態に係る殺菌消臭水生成装置を示す斜視図、図２は本発明の第１の実施の形態に係る殺菌消臭水生成装置において水圧シリンダ内に水を供給した状態を示す断面図、図３は本発明の第１の実施の形態に係る殺菌消臭水生成装置において殺菌消臭水の生成を完了した状態（又は待機状態）を示す断面図、図４は本発明の第１の実施の形態に係る殺菌消臭水生成装置において第１及び第２のアスピレータの動作を示す断面図、図５は本発明の第１の実施の形態に係る殺菌消臭水生成装置のケースを示す斜視図、図６は本発明の第１の実施の形態に係る殺菌消臭水生成装置のケース本体内に第１及び第２の薬液容器を一体に収容した状態を透視して示す斜視図、図７は本発明の第１の実施の形態に係る殺菌消臭水生成装置のトレイを示す斜視図である。
【００２０】
本実施の形態に係る殺菌消臭水生成装置１は、給水設備２と、三方電磁弁３を介して給水設備２に接続される水圧シリンダ４と、水圧シリンダ４内を進退可能なピストン５と、第１の薬液を貯留する第１の薬液容器６と、第１の薬液容器６に第１の送液管７を介して接続される第１の薬液シリンダ８と、ピストン５の進退動作に伴って第１の薬液シリンダ８内を進退可能に設けられる第１の薬液シリンダロッド９と、三方電磁弁２に接続されると共に第１の薬液シリンダ８に接続される第１のアスピレータ１０と、第２の薬液を貯留する第２の薬液容器１１と、第２の薬液容器１１に第２の送液管１２を介して接続される第２の薬液シリンダ１３と、ピストン５の進退動作に伴って第２の薬液シリンダ１３内を進退可能に設けられる第２の薬液シリンダロッド１４と、第１のアスピレータ１０に接続されると共に第２の薬液シリンダ１３に接続される第２のアスピレータ１５と、第２のアスピレータ１５に接続される殺菌消臭水供給設備１６と、制御盤１７と、を備えて構成されている。
【００２１】
給水設備２は、水道の給水栓１８と、給水栓１８に接続される給水管１９と、給水管１９の途中に接続されるバキュームブレーカ２０と、を備えており、給水設備２からは水圧０．２〜０．７６Ｍｐａの水が供給されるようになっている。
【００２２】
水圧シリンダ４は、円筒形状のシリンダ部２１と、シリンダ部２１の一端に固定される一端側固定部２２と、シリンダ部２１の他端に固定される他端側固定部２３と、を備えている。一端側固定部２２はシリンダ部２１の一端を閉塞するように装着され、その中心には接続口２４が形成されており、この接続口２４に三方電磁弁３が単管２５を介して接続されている。
【００２３】
他端側固定部２３にはシリンダ部２１の他端開口に合せて円形状の開口部２６が形成されており、他端側固定部２３に対して平行に板状のバネ受け部２７が固定されている。バネ受け部２７には中心に丸孔２８が形成されていると共に該丸孔２８を挟むように該丸孔２８の両側にそれぞれ第１支持孔２９及び第２支持孔３０が形成されている。
【００２４】
ピストン５は円板形状を成し、その中心にはピストンロッド３１が突設され、ピストンロッド３１はバネ受け部の丸孔２８を遊貫している。ピストンロッド３１には円錐状のスプリング３２が周設されており、このスプリング３２は他端側固定部２３とバネ受け部２７との間に介装されている。スプリング３２の底部側大径部はピストン５に支持され、スプリング３２の頂部側小径部はバネ受け部２７に支持され、ピストン５はこのスプリング３２によって一端側に付勢されている。
【００２５】
ピストン５には、ピストンロッド３１を挟むように該ピストンロッド３１の両側にそれぞれ前記第１の薬液シリンダロッド９及び前記第２の薬液シリンダロッド１４が突設されている。
【００２６】
第１の薬液シリンダ８は細長円筒形状を成し、その一端部３３の外周部分は螺刻されている。第１の薬液シリンダ８の一端部３３はバネ受け部２７の第１支持孔２９を貫通しており、バネ受け部２７を挟むように一端部３３に螺合する一対のナット３４，３４により、第１の薬液シリンダ８はバネ受け部２７に固定されている。
【００２７】
また、第１の薬液シリンダ８と同様に、第２の薬液シリンダ１３は細長円筒形状を成し、その一端部３５の外周部分は螺刻されている。第２の薬液シリンダ１３の一端部３５はバネ受け部２７の第２支持孔３０を貫通しており、バネ受け部２７を挟むように一端部３５に螺合する一対のナット３６，３６により、第２の薬液シリンダ１３はバネ受け部２７に固定されている。
【００２８】
第１のアスピレータ１０は、第１の薬液シリンダ８に近接した位置で他端側固定部２３に縦向きに支持されている。図４に良く示されているように、第１のアスピレータ１０の下端部には供給口３７が設けられ、この供給口３７に三方電磁弁２からの配管３８（図２参照）が接続されている。また、第１のアスピレータ１０の上端部には排出口３９が設けられており、この排出口３９に第２のアスピレータ１５に向かう配管４０が接続されている。さらに、第１のアスピレータ１０の中間部には第１の薬液吸込口４１が設けられており、この第１の薬液吸込口４１に第１の薬液シリンダ８からの配管４２（図２参照）が接続されている。
【００２９】
また、第１のアスピレータ１０と同様に、第２のアスピレータ１５は、第２の薬液シリンダ１３に近接した位置で他端側固定部２３に縦向きに支持されている。第２のアスピレータ１５の上端部には供給口４３が設けられ、この供給口４３に第１のアスピレータ１０からの配管４０が接続されている。また、第２のアスピレータ１５の下端部には排出口４４が設けられており、この排出口４４に殺菌消臭水供給設備１６に向かう配管４５（図２参照）が接続されている。さらに、第２のアスピレータ１５の中間部には第２の薬液吸込口４６が設けられており、この第２の薬液吸込口４６に第２の薬液シリンダ１３からの配管４７（図２参照）が接続されている。
【００３０】
図５〜図７に良く示されているように、第１の薬液容器６は、内部の薬液が空になるとつぶれるタイプのポリエチレン(polyethylene)樹脂等の軟質容器により構成されている。第１の薬液容器６の内部には、１２％濃度の次亜塩素酸ナトリウム溶液が充填されており、第１の薬液容器６は、内部に薬液が充填されている時は直方体形状を成している。また、第１の薬液容器６の底部中央には第１のゴム栓（図示省略）が取り付けられている。
【００３１】
第２の薬液容器１１は、内部の薬液が空になるとつぶれるタイプのポリエチレン(polyethylene)樹脂等の軟質容器により構成されている。第２の薬液容器１１の内部には、８％濃度の希塩酸が充填されており、第２の薬液容器１１は、内部に薬液が充填されている時は一部分（例えば、外側の２箇所）の角部４９が湾曲した略直方体形状を成している。また、第２の薬液容器１１の底部中央には第２のゴム栓（図示省略）が取り付けられている。
【００３２】
第１の薬液容器６と第２の薬液容器１１は横並びでケース５０内に一体に収容されている。ケース５０は、内部に収容された第１の薬液容器６や第２の薬液容器１１が空になってつぶれた場合でも外形を保持するタイプのポリプロピレン(polyethylene)樹脂等の硬質容器により構成されており、周囲に立ち上がり部５２が形成されたトレイ５３と、トレイ５３に嵌合可能なケース本体５４と、トレイ５３の底面に突設される４本の脚部４９と、トレイ５３及びケース本体５４の外周に掛け渡される押え部材５５と、を備えている。
【００３３】
トレイ５３の底面には、第１の薬液容器６の前記第１のゴム栓及び第２の薬液容器１１の前記第２のゴム栓に対応した位置にそれぞれ第１の送液口５６及び第２の送液口５７が貫設されている。第１の送液口５６と第２の送液口５７は、いずれも同一の構成を有しており、それぞれ第１のコイルバネ５８及び第２のコイルバネ５９が周設され、これらのバネ５８，５９により上方に付勢されている。
【００３４】
第１の送液口５６と第２の送液口５７の内部にはそれぞれ細孔６０，６１を有する第１の送液針６２及び第２の送液針６３が上方に向かって突設され、第１の送液針６２及び第２の送液針６３はそれぞれ第１の送液管７及び第２の送液管１２の先端に接続されている。これにより、第１の薬液容器６及び第２の薬液容器１１をケース２０内に収容させる時に、前記第１のゴム栓及び前記第２のゴム栓をトレイ５３の第１の送液口５６及び第２の送液口５７に嵌合させると、第１の送液針６２及び第２の送液針６３が前記第１のゴム栓及び前記第２のゴム栓に差し込まれ、第１の薬液容器６内及び第２の薬液容器１１内は細孔６０，６１を介して第１の送液管７及び第２の送液管１２と連通されるようになっている。
【００３５】
また、トレイ５３の立ち上がり部５２の、第２の薬液容器１１の角部４９に対応する角部６４は湾曲して形成されている。
【００３６】
ケース本体５４は、下端が開放された箱形状を成し、トレイ５３の立ち上がり部５２の角部６４に対応する角部６５は湾曲して形成されている。このように、第２の薬液容器１１の角部４９、トレイ５３の立ち上がり部５２の角部６４、及びケース本体５４の角部６５がそれぞれ対応した湾曲形状に形成されており、第１の薬液容器６と第２の薬液容器１１は正しい向きでのみしかケース５１内に収容することができないため、第１の薬液と第２の薬液とが間違って装置内に供給されるのを防止することができる。
【００３７】
押え部材５５は、図５に示すように針金状の部材をトレイ５３及びケース本体５４の外周形状に沿って屈曲させて形成されており、この押え部材５５によりケース本体５４のトレイ５３に対する嵌合状態が保持されるようになっている。
【００３８】
再び図１に戻ると、殺菌消臭水供給設備１６は、第２のアスピレータ１５からの配管４５の先端に取り出し器具６４が取り付けられて構成されている。
【００３９】
制御盤１７は、殺菌消臭水生成装置１のオンオフスイッチ６５や殺菌消臭水の取り出し量を設定するためのダイヤルスイッチ６６などが設置されており、ダイヤルスイッチ６６の設定操作により、例えば、１回当たり２００ｃｃの取り出し量を１〜１０回の範囲で設定できるようになっている。
【００４０】
次に、図面を参照しつつ、上記した構成を備えた本発明の第１の実施の形態に係る殺菌消臭水生成装置１の作用について説明する。
【００４１】
図２に示すように、三方電磁弁３が給水設備２と水圧シリンダ４とを連通する向きに動作され、給水栓１８から水圧０．２〜０．７６Ｍｐａで水が吐出されると、該水は、給水管１９、バキュームブレーカ２０、三方電磁弁３、単管２５、及び接続口２４を通って、水圧シリンダ４のシリンダ部２１内に流入する。シリンダ部２１内に該水が流入した時の圧力により、ピストン５はピストンロッド３１と第１の薬液シリンダロッド９及び第２の薬液シリンダロッド１４と共にスプリング３２の付勢力に抗して他端側に後退する。この時、第１の薬液シリンダ８と第１の薬液シリンダロッド９との間の隙間には第１の薬液が入っており、また、第２の薬液シリンダ１３と第２の薬液シリンダロッド１４との間の隙間には第２の薬液が入っている。
【００４２】
次いで、図３に示すように、三方電磁弁３が水圧シリンダ４と第１のアスピレータ１０とを連通する向きに動作されると、ピストン５がスプリング３２の付勢力により一端側に前進し、水圧シリンダ４のシリンダ部２１内の水は、押し出されて、接続口２４、単管２５、三方電磁弁３、配管３８、及び供給口３７を通って、第１のアスピレータ１０内に供給される。
【００４３】
図３及び図４に示すように、第１のアスピレータ１０では、第１の薬液シリンダ８と第１の薬液シリンダロッド９との間の隙間に入っている第１の薬液が、第１の薬液シリンダロッド９によって第１の薬液シリンダ８から押出されることで送出されると同時に、ベンチュリー効果によって、配管４２を通って第１の薬液吸込口４１から第１のアスピレータ１０の内部に吸い込まれ、前記水と混合される。その後、該水と第１の薬液の混合水溶液は、排出口３９から配管４０を通り、供給口４３から第２のアスピレータ１５内に供給される。
【００４４】
第２のアスピレータ１５では、第２の薬液シリンダ１３と第２の薬液シリンダロッド１４との間の隙間に入っている第２の薬液が、第２の薬液シリンダロッド１４によって第２の薬液シリンダ１３から押出されることで送出されると同時に、ベンチュリー効果によって、配管４７を通って第２の薬液吸込口４６から第２のアスピレータ１５の内部に吸い込まれ、前記混合水溶液と混合され、殺菌消臭水が生成される。その後、この殺菌消臭水は、排出口４４から配管４５を通り、殺菌消臭水供給設備１６の取り出し器具６４から所定箇所に供給される。
【００４５】
次に、図８及び図９を参照しつつ、本発明の第２の実施の形態に係る殺菌消臭水生成装置について詳細に説明する。ここで、図８は本発明の第２の実施の形態に係る殺菌消臭水生成装置において水圧シリンダ内に水を供給した状態を示す断面図、図９は本発明の第２の実施の形態に係る殺菌消臭水生成装置において殺菌消臭水の生成を完了した状態（又は待機状態）を示す断面図である。なお、以下の説明では、説明の簡略化のため、上記した第１の実施の形態に係る殺菌消臭水生成装置１と同等の構成については、図８及び図９中、図１〜図７と同一の符号を付し、その詳細な説明は省略する。
【００４６】
本実施の形態に係る殺菌消臭水生成装置７０において、アスピレータ７１は、第２の薬液シリンダ１３に近接した位置にのみ設置されており、第１の薬液シリンダ７２に近接した位置には設置されていない。そして、このアスピレータ７１は、配管３８を介して三方電磁弁３に接続されると共に配管４７を介して第２の薬液シリンダ１３に接続されている。
【００４７】
また、バネ受け部２７に平行に板状の薬液シリンダ固定部７３が固定されており、薬液シリンダ固定部７３には、中心に丸孔７４が形成され、該丸孔７４を挟むように該丸孔７４の両側にそれぞれ第１支持孔７５及び第２支持孔７６が形成されている。ピストンロッド３１はバネ受け部２７の丸孔２８及び薬液シリンダ固定部７３の丸孔７４を遊貫している。
【００４８】
また、第１の薬液シリンダ７２は細長円筒形状を成し、その他端部７７の外周部分は螺刻され、該他端部７７は薬液シリンダ固定部７３の第１支持孔７５を貫通しており、薬液シリンダ固定部７３を挟むように他端部７７に螺合する一対のナット７８，７８により、第１の薬液シリンダ７２は薬液シリンダ固定部７３に固定されている。
【００４９】
また、一端側固定部２２には、水圧シリンダ４の内部に連通するように径方向に薬液導入孔７９が形成されており、第１の薬液シリンダ７２は配管８０を介して薬液導入孔７９に接続されている。また、第２の薬液シリンダ１３の他端部は薬液シリンダ固定部７３の第２支持孔７６を貫通している。
【００５０】
次に、上記した構成を備えた本発明の第２の実施の形態に係る殺菌消臭水生成装置７０の作用について説明する。
【００５１】
図８に示すように、三方電磁弁３が給水設備２と水圧シリンダ４とを連通する向きに動作され、給水栓１８から水圧０．２〜０．７６Ｍｐａで水が吐出されると、該水は、給水管１９、バキュームブレーカ２０、三方電磁弁３、単管２５、及び接続口２４を通って、水圧シリンダ４のシリンダ部２１内に流入する。シリンダ部２１内に該水が流入した時の圧力により、ピストン５はピストンロッド３１と第１の薬液シリンダロッド９及び第２の薬液シリンダロッド１４と共にスプリング３２の付勢力に抗して他端側に後退する。そして、第１の薬液シリンダ７２と第１の薬液シリンダロッド９との間の隙間に入っている第１の薬液が配管８０及び薬液導入口７９と通ってシリンダ部２１内に流入し、前記水と混合される。この時、第２の薬液シリンダ１３と第２の薬液シリンダロッド１４との間の隙間には第２の薬液が入っているが、第１の薬液シリンダ７２と第１の薬液シリンダロッド９との間の隙間には、第１の薬液が残っていない。
【００５２】
次いで、図９に示すように、三方電磁弁３が水圧シリンダ４とアスピレータ７１とを連通する向きに動作されると、ピストン５がスプリング３２の付勢力により一端側に前進し、水圧シリンダ４のシリンダ部２１内の前記水と第１の薬液との混合水溶液は、押し出されて、接続口２４、単管２５、三方電磁弁３、及び配管３８を通って、アスピレータ７１内に供給される。
【００５３】
アスピレータ７１では、第２の薬液シリンダ１３と第２の薬液シリンダロッド１４との間の隙間に入っている第２の薬液が、第２の薬液シリンダロッド１４によって第２の薬液シリンダ１３から押出されることで送出されると同時に、ベンチュリー効果によって、配管４７を通ってアスピレータ７１の内部に吸い込まれ、前記混合水溶液と混合され、殺菌消臭水が生成される。その後、この殺菌消臭水は、配管４５を通り、所定箇所に供給される。
【００５４】
次に、図１０を参照しつつ、本発明の第３の実施の形態に係る殺菌消臭水生成装置について詳細に説明する。ここで、図１０は本発明の第３の実施の形態に係る殺菌消臭水生成装置において水圧シリンダ内に水を供給した状態を示す断面図である。なお、以下の説明では、説明の簡略化のため、上記した第２の実施の形態に係る殺菌消臭水生成装置７０と同等の構成については、図１０中、図８及び図９と同一の符号を付し、その詳細な説明は省略する。
【００５５】
本実施の形態に係る殺菌消臭水生成装置９０では、第１の薬液シリンダ９１の他端部９２に第１の送液管７が接続されると共に配管８０が接続され、第１の薬液シリンダ９１の他端部９２以外の外周部分は螺刻されている。第１の薬液シリンダ９１はバネ受け部２７の第１支持孔２９を貫通すると共に薬液シリンダ固定部７３の第１支持孔７５を貫通しており、薬液シリンダ固定部７３を挟むように第１の薬液シリンダ９１に螺合する一対のナット７８，７８により、第１の薬液シリンダ９１は薬液シリンダ固定部７３に固定されている。
【００５６】
また、第２の薬液シリンダ９３の一端部９４に配管４７が接続され、第２の薬液シリンダ９３の一端部９４以外の外周部分は螺刻されている。第２の薬液シリンダ９３はバネ受け部２７の第２支持孔３０を貫通すると共に薬液シリンダ固定部７３の第２支持孔７６を貫通しており、薬液シリンダ固定部７３を挟むように第２の薬液シリンダ９３に螺合する一対のナット３６，３６により、第２の薬液シリンダ９３は薬液シリンダ固定部７３に固定されている。
【００５７】
このように、第１の薬液シリンダ９１及び第２の薬液シリンダ９３を前後方向（図１０の左右方向）の任意の位置に固定可能なように構成することにより、１ストローク当たりに第１の薬液シリンダ９１及び第２の薬液シリンダ９３から供給される第１の薬液及び第２の薬液の量を微調整することができる。
【００５８】
なお、上記した第３の実施の形態では、本発明の第２の実施の形態と同様に、アスピレータ７１を第２の薬液シリンダ９３に近接した位置にのみ設置して水と第１の薬液との混合が水圧シリンダ４内で行われる場合について説明したが、本実施の形態に係る発明は、この場合に限定されるものではなく、例えば、本発明の第１の実施の形態と同様に、第１の薬液シリンダと第２の薬液シリンダの近接した位置にそれぞれアスピレータを設置した場合にも適用可能であることは言う迄もない。
【００５９】
上記したように本発明の第１〜第３の実施の形態に係る殺菌消臭水生成装置１，７０，９０によれば、三方電磁弁３を使用しているため、水圧シリンダ４回りの配管等の部品点数を削減することができるため、装置全体の簡素化やコストの低減化を図ることができる。
【００６０】
また、第１の薬液と第２の薬液の２種類の薬液を水と混合させているため、殺菌消臭力を高めることができる。
【００６１】
また、第１の薬液シリンダ８と第１の薬液シリンダロッド９との間の隙間や第２の薬液シリンダ１３と第２の薬液シリンダロッド１４との間の隙間をポンプ室として利用して第１の薬液及び第２の薬液を送出しているため、ポンプ等の動力源が不要となり、装置や制御の簡素化を図ることができ、イニシャルコスト及びランニングコストの低減化を図ることができる。
【００６２】
また、ケース５０内に第１の薬液容器６と第２の薬液容器１１を一体に収容しているため、第１の薬液及び第２の薬液の交換作業の簡素化を図ることができる。
【００６３】
次に、図１１及び図１２を参照しつつ、上記した第１〜第３の実施の形態に係る殺菌消臭水生成装置１，７０，９０により生成された殺菌消臭水を洗浄水として小便器に供給するための小便器用洗浄水供給装置について説明する。ここで、図１１は小便器用洗浄水供給装置を示す正面図、図１２は小便器用洗浄水供給装置を示す側面図である。
【００６４】
小便器用洗浄水供給装置は、小便器１０１の上部に取り付けられるスプレー洗浄ノズル１０２を備えている。このスプレー洗浄ノズル１０２は、例えば、図１に示す殺菌消臭水供給設備１６に接続され、図１１及び図１２において破線で示すように、前方に膨らみを有するように立体放射状に前記殺菌消臭水を噴射可能なように構成されている。
【００６５】
該殺菌消臭水をこのように立体放射状に噴射することにより、従来の小便器洗浄方式であるスプレッダ洗浄方式と比較して、より少ない水量でより多くの小便器内面を殺菌消臭することができると共に、小便器１０１の周囲の床を殺菌消臭することもできるため、小便器及び該小便器が設置される便所を衛生的に保つことができる。
【００６６】
なお、上記した第１〜第３の実施の形態において、ラック＆ピニオン等の歯車機構（図示省略）を使用することにより、ピストンロッド３１の直線往復動を回転動に変換して、ピストンロッド３１の直線往復動で発電するように構成してもよい。この場合、殺菌消臭水生成装置１，７０，９０が消費する発電量以上の発電量があった場合には、蓄電することもでき、無電源化を図ることも可能となる。
【００６７】
また、上記した第１〜第３の実施の形態では、第１の薬液シリンダと第１の薬液シリンダロッドとの間の隙間や第２の薬液シリンダと第２の薬液シリンダロッドとの間の隙間をポンプ室として利用して第１の薬液及び第２の薬液を送出しているが、市販の回転式微量定量ポンプを使用して第１の薬液及び第２の薬液を送出することも可能である。
【符号の説明】
【００６８】
１          殺菌消臭水生成装置
３          三方電磁弁
４          水圧シリンダ
５          ピストン
６          第１の薬液容器
７          第１の送液管
８          第１の薬液シリンダ
９          第１の薬液シリンダロッド
１０        第１のアスピレータ
１１        第２の薬液容器
１２        第２の送液管
１３        第２の薬液シリンダ
１４        第２の薬液シリンダロッド
１５        第２のアスピレータ
５０        ケース
５３        トレイ
５４        ケース本体
５６        第１の送液口
５７        第２の送液口
７０        殺菌消臭水生成装置
７１        アスピレータ
７２        第１の薬液シリンダ
９０        殺菌消臭水生成装置
９１        第１の薬液シリンダ
９３        第２の薬液シリンダ
【図１】
0006017835.tif 000002
【図２】
0006017835.tif 000003
【図３】
0006017835.tif 000004
【図４】
0006017835.tif 000005
【図５】
0006017835.tif 000006
【図６】
0006017835.tif 000007
【図７】
0006017835.tif 000008
【図８】
0006017835.tif 000009
【図９】
0006017835.tif 000010
【図１０】
0006017835.tif 000011
【図１１】
0006017835.tif 000012
【図１２】
0006017835.tif 000013